(57)【特許請求の範囲】
【請求項１】
締結具により二輪車本体に固定されるブラケットと、
前記ブラケットに回動可能に連結され、前記ブラケットが前記二輪車本体に固定された状態で前記ブラケットから突出した前記締結具に当接して前記ブラケットに対する回動範囲を規制する規制部を備え、機能部品が固定され又は一体的に設けられた連結部材と、
を有する機能部品取付構造。
【請求項２】
前記規制部は、前記連結部材に形成された凹状部であり、
前記締結具は、前記ブラケットを前記二輪車本体に固定したときに前記ブラケットから前記凹状部内に延びるねじ部を備える請求項１に記載の機能部品取付構造。
【請求項３】
前記凹状部に、前記ねじ部に当接して回動時の摺動抵抗を与える弾性部材が配置されている請求項２に記載の機能部品取付構造。
【請求項４】
前記凹状部の内壁には、前記ねじ部の位置を固定する複数の係合部が設けられている請求項２又は請求項３に記載の機能部品取付構造。
【請求項５】
前記連結部材は、前記連結部材を前記ブラケットに取り付ける取付用ねじ部を中心に回動する請求項１から請求項４までのいずれか１項に記載の機能部品取付構造。
【請求項６】
前記取付用ねじ部は、前記連結部材を貫通して前記連結部材の裏面側に配置された前記ブラケットに螺合されており、
前記連結部材の表面上に前記機能部品が固定されている請求項５に記載の機能部品取付構造。
【請求項７】
前記二輪車本体がハンドルであり、前記機能部品がランプである請求項１から請求項６までのいずれか１項に記載の機能部品取付構造。
【請求項８】
請求項１から請求項７までのいずれか１項に記載の機能部品取付構造を備える二輪車。
【発明の詳細な説明】
【技術分野】
【０００１】
本発明は、機能部品取付構造及び二輪車に関する。
【背景技術】
【０００２】
従来、二輪車等のハンドルに取り付けるヘッドランプの取付装置が設けられている。
【０００３】
特許文献１に記載される取付装置では、第１の取付部品に第３の取付部品が回動可能に配置されており、第１の取付部品は第３の取付部品とともにボルトとナットによってハンドルに締結固定されている。第３の取付部品の上には第２の取付部品が着脱自在に取付けられており、第２の取付部品の上にはヘッドランプがヘッドランプ取付ねじによって固定されている。第３の取付部品は、第１の取付部品と第２の取付部品とを相対的に回転自在としており、ボルトを緩めて第３の取付部品を所定位置に回動させ、ボルトを締付けることで、第３の取付部品及び第１の取付部品がハンドルに固定される。これによって、第２の取付部品に固定されたヘッドランプの角度が調整されるようになっている。
【０００４】
特許文献２に記載される取付装置では、ブラケットは取付ネジとナットによりハンドルに締結固定されており、ブラケットには、撓み変形可能な突出片が設けられ、突出片に設けられた突起に凸部が形成されている。ブラケットには、ランプが取り付けられた回動部材が回動可能に設けられ、回動部材の端面には、突出片の凸部と係合する複数の凹部が設けられている。回動部材の回動角度を変更するときは、突出片を下方側に撓み変形させ、凸部と凹部との係合を解除し、回動部材を回動させる。
【先行技術文献】
【特許文献】
【０００５】
【特許文献１】特許第３６６８７６５号公報
【特許文献２】特開２００９−１５４６６６号公報
【発明の概要】
【発明が解決しようとする課題】
【０００６】
しかしながら、特許文献１に記載の取付装置では、第１の取付部品と第２の取付部品と第３の取付部品の形状が複雑であると共に、第１の取付部品をボルトで固定すると、第２の取付部品等の回動角度を変更したくてもボルトを緩めないと回動できない。より具体的には、第１の取付部品をハンドルに固定する縦方向の固定と、第２の取付部品及び第３の取付部品を所定の回動位置で固定する横方向の固定とを１セットのボルトとナットで行うので、２軸の固定を同時に行う必要があり、回動操作性が低下する。つまり、第２の取付部品及び第３の取付部品の横方向の向きだけを変更しようとしても、縦方向も動く場合があり、また、第１の取付部品の縦方向の向きだけを変更しようとしても、横方向も動く場合がある。
【０００７】
また、特許文献２では、突出片の突起に凸部を備えたブラケットと、複数の凹部を備えた回動部材が設けられており、回動部材とブラケットの形状が複雑となる。また、突出片が外力等により下方側に撓み変形し、凸部と凹部の係合が外れることで、ブラケットに対するランプの回動位置が動いてしまう可能性がある。
【０００８】
本発明は、上記問題点に鑑みてなされたものであり、簡易な構成により機能部品をブラケットに回動可能に取り付けることでき、回動操作性を向上することができる機能部品取付構造及び二輪車を提供することを目的とする。
【課題を解決するための手段】
【０００９】
請求項１に記載の発明に係る機能部品取付構造は、締結具により二輪車本体に固定されるブラケットと、前記ブラケットに回動可能に連結され、前記ブラケットが前記二輪車本体に固定された状態で前記ブラケットから突出した前記締結具に当接して前記ブラケットに対する回動範囲を規制する規制部を備え、機能部品が固定され又は一体的に設けられた連結部材と、を有するものとする。
【００１０】
請求項１に記載の発明では、締結具によりブラケットが二輪車本体に固定されており、ブラケットに連結部材が回動可能に連結されると共に、連結部材に機能部品が固定され、又は連結部材に一体的に機能部品が設けられている。ブラケットが二輪車本体に固定された状態でブラケットから締結具が突出しており、連結部材に設けられた規制部が締結具に当接することで、ブラケットに対する連結部材の回動範囲が規制される。これにより、簡易な構成により機能部品をブラケットに回動可能に取り付けることができ、回動操作性を向上することができる。
【００１１】
請求項２に記載の発明は、請求項１に記載の機能部品取付構造において、前記規制部は、前記連結部材に形成された凹状部であり、前記締結具は、前記ブラケットを前記二輪車本体に固定したときに前記ブラケットから前記凹状部内に延びるねじ部を備えるものである。
【００１２】
請求項２に記載の発明では、連結部材に凹状部が形成されており、ブラケットを二輪車本体に固定したときにブラケットから凹状部内にねじ部が延びている。ブラケットに対して連結部材を回動させたときに、ねじ部に凹状部の内壁が当接することで、ブラケットに対する連結部材の回動範囲が規制される。これにより、簡易な構成により機能部品をブラケットに回動可能に取り付けることができ、回動操作性をより一層向上することができる。
【００１３】
請求項３に記載の発明は、請求項２に記載の機能部品取付構造において、前記凹状部に、前記ねじ部に当接して回動時の摺動抵抗を与える弾性部材が配置されているものである。
【００１４】
請求項３に記載の発明では、凹状部にねじ部に当接する弾性部材が配置されており、ブラケットに対して機能部品（連結部材）を回動させるときに、弾性部材により摺動抵抗が与えられる。これにより、ブラケットに対して機能部品を所定の回動位置で固定する固定力を上げることができる。
【００１５】
請求項４に記載の発明は、請求項２又は請求項３に記載の機能部品取付構造において、前記凹状部の内壁には、前記ねじ部の位置を固定する複数の係合部が設けられているものである。
【００１６】
請求項４に記載の発明では、凹状部の内壁には、ねじ部の位置を固定する複数の係合部が設けられており、ねじ部が複数の係合部のいずれか１つと係合されることで、ブラケットに対して機能部品（連結部材）を所定の回動位置で固定することができる。
【００１７】
請求項５に記載の発明は、請求項１から請求項４までのいずれか１項に記載の機能部品取付構造において、前記連結部材は、前記連結部材を前記ブラケットに取り付ける取付用ねじ部を中心に回動するものである。
【００１８】
請求項５に記載の発明では、連結部材は、連結部材をブラケットに取り付ける取付用ねじ部を中心に回動するものであり、取付用ねじ部の締付け力の設定により、ブラケットに対する連結部材の回動抵抗を所定値に設定できる。これにより、ブラケットに対して機能部品（連結部材）を所定の回動位置で固定させると共に、ブラケットに対する機能部品の回動角度を容易に変更することができる。
【００１９】
請求項６に記載の発明は、請求項５に記載の機能部品取付構造において、前記取付用ねじ部は、前記連結部材を貫通して前記連結部材の裏面側に配置された前記ブラケットに螺合されており、前記連結部材の表面上に前記機能部品が固定されているものである。
【００２０】
請求項６に記載の発明では、取付用ねじ部が、連結部材を貫通して連結部材の裏面側に配置されたブラケットに螺合されて、連結部材がブラケットに取り付けられている。さらに、連結部材の表面上に機能部品が固定されている。これにより、ブラケットに対する機能部品の組み付け作業性が向上する。
【００２１】
請求項７に記載の発明は、請求項１から請求項６までのいずれか１項に記載の機能部品取付構造において、前記二輪車本体がハンドルであり、前記機能部品がランプであるものである。
【００２２】
請求項７に記載の発明では、ブラケットがハンドルに固定されており、ランプが連結部材によりブラケットに対して回動可能である。その際、ブラケットがハンドルに固定された状態で、ランプの回動角度を変更することができ、回動操作性が向上する。
【００２３】
請求項８に記載の発明に係る二輪車は、請求項１から請求項７までのいずれか１項に記載の機能部品取付構造を備えるものである。
【００２４】
請求項８に記載の発明では、ブラケットを二輪車本体に固定した状態で、機能部品の回動角度を変更することができ、回動操作性が向上する。
【発明の効果】
【００２５】
本発明に係る機能部品取付構造によれば、簡易な構成により機能部品をブラケットに回動可能に取り付けることができ、回動操作性を向上することができる。
【図面の簡単な説明】
【００２６】
【図１】本発明の第１実施形態に係るランプ取付構造を示す斜視図である。
【図２】図１に示すランプ取付構造を他の方向から見た斜視図である。
【図３】図１に示すランプ取付構造の分解斜視図である。
【図４】図３に示すランプ取付構造を別の方向から見た分解斜視図である。
【図５】ランプ取付構造に用いられるブラケット及び連結部材の組み付け状態を示す斜視図である。
【図６】ランプ取付構造に用いられるブラケット及び連結部材の組み付け状態を他の方向から見た斜視図である。
【図７】ランプ取付構造を示す断面図である。
【図８Ａ】ブラケットに対して連結部材を開口部の一端側に回動させた状態を示す平面図である。
【図８Ｂ】ブラケットに対して連結部材を開口部の他端側に回動させた状態を示す平面図である。
【図９】本発明の第１実施形態に係るランプ取付構造が適用される二輪車のハンドル付近を示す斜視図である。
【図１０】本発明の第２実施形態に係るランプ取付構造を示す断面図である。
【図１１】本発明の第３実施形態に係るランプ取付構造に用いられる連結部材の開口部とブラケットの取付ねじの先端部の状態を示す平面図である。
【図１２】本発明の第４実施形態に係るランプ取付構造に用いられる連結部材の開口部とブラケットの取付ねじの先端部の状態を示す平面図である。
【発明を実施するための形態】
【００２７】
以下、図１〜図９を用いて、本発明に係る機能部品取付構造の第１実施形態について説明する。図１には、機能部品取付構造の一例としてのランプ取付装置１０の斜視図が示されている。図２には、図１に示すランプ取付装置１０を別の方向から見た斜視図が示されている。
【００２８】
図９に示されるように、ランプ取付装置１０は、二輪車１に設けられたハンドル２に取付けられている。ハンドル２は、ヘッドパイプ４の上部に略Ｔ字状に配設され、ヘッドパイプ４と相対回転可能に設けられている。ハンドル２の両端部にはグリップ６が取付けられており、ランプ取付装置１０は、ハンドル２の幅方向右側のグリップ６の近くに取付けられている。
【００２９】
図１〜図６に示されるように、ランプ取付装置１０は、ハンドル２に取付けられるブラケット１２と、ブラケット１２に回動可能に設けられた連結部材１４と、を備えている。連結部材１４には、機能部品の一例としてのランプ１６が固定されている。
【００３０】
図３及び図４に示されるように、ブラケット１２は、ハンドル２の外周面に沿って湾曲した形状の凹部２０Ａが形成された挟持部２０を備えている。挟持部２０には、凹部２０Ａの周方向の一部を切り離して形成された開口部２１が設けられており、挟持部２０の一端部２０Ｂと他端部２０Ｃが開口部２１を挟んで図４中の上下方向に対向している。一端部２０Ｂ及び他端部２０Ｃには、締結具としての取付ネジ（ねじ部）２６が挿通される挿通孔２２Ａ、２２Ｂが形成されている。挟持部２０の一端部２０Ｂ（図４中の他端部２０Ｃの上方）の上面には、締結具としてのナット２８が嵌合される孔部２４が形成されている。ナット２８の上端部には、矩形状の嵌合部２８Ａが形成されており、挟持部２０の一端部２０Ｂの孔部２４の上端部には、嵌合部２８Ａが嵌合される矩形状の嵌合孔２４Ａが形成されている。
【００３１】
挟持部２０の一端部２０Ｂと連続する上面部２０Ｄには、ナット３６が埋め込まれている。ナット３６には、挟持部２０に対して連結部材１４を回動可能に支持する軸部を構成するボルト（取付用ねじ部）３４が螺合される。連結部材１４にはボルト３４が挿通される挿通孔３２が設けられている。挿通孔３２の上端部には、ボルト３４の頭部が挿入される大径孔が形成されている。ボルト３４は、連結部材１４の上方側から連結部材１４の挿通孔３２に挿通され、挟持部２０の上面部２０Ｄのナット３６に螺合されることで、連結部材１４がブラケット１２に対してボルト３４の軸部３４Ａを中心として回動可能となっている（図５及び図６参照）。ボルト３４は、図５中のブラケット１２及び連結部材１４の上下方向（ブラケット１２が固定されるハンドル２の軸方向と直交する方向）に沿って配設されており、連結部材１４は、ブラケット１２に対してボルト３４の軸部３４Ａを中心として横方向に回動可能に構成されている。本実施形態では、ボルト３４のナット３６への締付け力の設定により、ブラケット１２に対する連結部材１４の回動抵抗を所定値に設定できる構成となっている。
【００３２】
ブラケット１２は、挟持部２０の他端部２０Ｃが一端部２０Ｂから離れる方向に撓み変形可能に構成されており、他端部２０Ｃを一端部２０Ｂから離れる方向に撓み変形させることで、ハンドル２に外挿可能となっている（図１及び図２参照）。本実施形態では、ブラケット１２は樹脂で形成されている。
【００３３】
ブラケット１２がハンドル２に外挿された状態で、挟持部２０の他端部２０Ｃの挿通孔２２Ｂの下方側から取付ネジ２６を挿入し、挟持部２０の一端部２０Ｂに設けられたナット２８に取付ネジ２６の軸部２６Ａを螺合させることで、ブラケット１２がハンドル２に固定される。取付ネジ２６とナット２８は、ブラケット１２に図４中の上下方向に沿って締結されるため、ブラケット１２をハンドル２に取付けた際に、取付ネジ２６によりブラケット１２のハンドル軸に対する回動方向（縦方向）の位置やハンドル２の軸方向の取付位置が調整可能である。
【００３４】
図４及び図５に示されるように、連結部材１４は、略矩形状の板状部材からなり、連結部材１４の長手方向の一端面には、長手方向外側に延びた突出片４０が形成されている。突出片４０は、図５中の連結部材１４の上面に対して交差する方向に撓み変形可能に形成されている。突出片４０の先端には、後述するランプ１６の内部に形成された段部５２に係止される係止部４０Ａが形成されている。係止部４０Ａは、図５中の突出片４０の上面から下方側に突出するように形成されている。
【００３５】
図５〜図７に示されるように、連結部材１４には、取付ネジ２６の軸部２６Ａをナット２８に螺合させてブラケット１２をハンドル２に固定したときに、軸部２６Ａの先端部２６Ｂが挿入される規制部（凹状部）の一例としての開口部４２が形成されている。本実施形態では、平面視にて開口部４２は長円状に形成されており、ボルト３４の軸部３４Ａを中心として円弧状に湾曲している。
【００３６】
図８Ａ及び図８Ｂに示されるように、ブラケット１２に対して連結部材１４をボルト３４の軸部３４Ａを中心として回動させたときに、取付ネジ２６の軸部２６Ａの先端部２６Ｂが開口部４２の一端側の内壁と、開口部４２の他端側の内壁に当接することで、ブラケット１２に対する連結部材１４の回動範囲が規制される（制限される）ようになっている。
【００３７】
また、連結部材１４には、開口部４２に対して挿通孔３２と反対側に開口４４が形成されている。この開口４４は、ランプ１６の内部に配置される基板からのケーブルを外部に引き出すために設けたものである。
【００３８】
連結部材１４の長手方向と直交する方向における両側壁部には、ランプ１６をスライド可能に装着する凸部４６が形成されている。また、図３等に示されるように、ランプ１６の下面１６Ａには、略矩形状の窪み部１６Ｂが形成されており、窪み部１６Ｂの側壁には、連結部材１４の凸部４６にスライド可能に係合される凹部１６Ｃがランプ１６の長手方向に沿って形成されている。
【００３９】
図５及び図６に示されるように、ボルト３４をナット３６に螺合させて連結部材１４をブラケット１２に取り付けた後、連結部材１４の凸部４６にランプ１６の凹部１６Ｃを係合させてスライドさせることで、ランプ１６が連結部材１４に装着されるようになっている。
【００４０】
図３及び図７に示されるように、ランプ１６の下面１６Ａの窪み部１６Ｂには、ランプ１６を連結部材１４に装着する際に、連結部材１４の突出片４０が挿入される開口５０が設けられている。突出片４０の係止部４０Ａは、ランプ１６を連結部材１４に装着する過程で窪み部１６Ｂの側壁に当たり、突出片４０が弾性変形によりランプ１６の内側に撓んで開口５０に挿入される。さらに、ランプ１６の開口５０内の内壁部には、ランプ１６の連結部材１４への装着位置で、突出片４０の係止部４０Ａが係止される段部５２が形成されている。
【００４１】
図１及び図２に示されるように、ランプ１６は、長手方向に対して直交する断面が長円状に形成されており、長手方向の一端側の端面に２つの点灯部６０が設けられている。
【００４２】
次に、本実施形態の作用及び効果について説明する。
【００４３】
図１〜図４に示されるように、ブラケット１２をハンドル２に取付ける際には、挟持部２０の他端部２０Ｃを一端部２０Ｂから離れる方向に弾性変形させて、凹部２０Ａをハンドル２の外周面に外挿する。そして、他端部２０Ｃの下方側から他端部２０Ｃの挿通孔２２Ｂ及び一端部２０Ｂの挿通孔２２Ａに取付ネジ２６の軸部２６Ａを挿入し、一端部２０Ｂの孔部２４に嵌合されているナット２８に取付ネジ２６の軸部２６Ａを螺合させることで、ブラケット１２がハンドル２に固定される。
【００４４】
また、図５及び図６に示されるように、連結部材１４の裏面は、ブラケット１２の一端部２０Ｂの上面部２０Ｄに面接触状態で配置されており、連結部材１４の挿通孔３２の上方側からボルト３４が挿通され、ブラケット１２の一端部２０Ｂに固着されたナット３６にボルト３４の軸部３４Ａが螺合される。その際、図７に示されるように、取付ネジ２６の軸部２６Ａの先端部２６Ｂを連結部材１４の開口部４２に挿入する。これによって、取付ネジ２６の軸部２６Ａの先端部２６Ｂが連結部材１４の開口部４２に挿入された状態で、ブラケット１２に対して連結部材１４がボルト３４の軸部３４Ａを中心に回動可能となる。
【００４５】
図８Ａ及び図８Ｂに示されるように、開口部４２は長円状に形成されており、ブラケット１２に対して連結部材１４を回動させたときに、取付ネジ２６の軸部２６Ａの先端部２６Ｂが開口部４２の一端側の内壁と他端側の内壁に当接することで、連結部材１４の回動範囲が規制される（制限される）。
【００４６】
また、連結部材１４をブラケット１２に取り付けた後、図１、図２、図５及び図６等に示されるように、連結部材１４の凸部４６にランプ１６の凹部１６Ｃを係合させてスライドさせることで、ランプ１６が連結部材１４の表面上に装着される。その際、連結部材１４の突出片４０が、ランプ１６を連結部材１４に装着する過程でランプ１６の窪み部１６Ｂの側壁に当たり、弾性変形によりランプ１６の内部側に撓んで開口５０に挿入される。そして、ランプ１６の連結部材１４への装着位置で、突出片４０の係止部４０Ａが弾性復元力によりランプ１６の奥側の段部５２に係止されることで、ランプ１６が連結部材１４に固定される。
【００４７】
このようなランプ取付装置１０では、取付ネジ２６の軸部２６Ａの先端部２６Ｂが連結部材１４の開口部４２に挿入された状態で、連結部材１４がブラケット１２に対して回動するため、取付ネジ２６の先端部２６Ｂが開口部４２の内壁に当接することで、ブラケット１２に対する連結部材１４の回動範囲が規制される。
【００４８】
その際、ブラケット１２をハンドル２に固定する取付ネジ２６を用い、取付ネジ２６をナット２８に螺合させてブラケット１２をハンドル２に固定した状態で、ブラケット１２から突出する取付ネジ２６の軸部２６Ａの先端部２６Ｂが連結部材１４の開口部４２に挿入される。このため、簡易な構成により連結部材１４に固定されるランプ１６をブラケット１２に対して回動可能に取り付けると共に、ランプ取付装置１０の組み付け時の回動操作性を向上することができる。
【００４９】
連結部材１４は、連結部材１４をブラケット１２に取り付けるボルト３４の軸部３４Ａを中心に回動するものであり、ボルト３４のナット３６への締付け力の設定により、ブラケット１２に対する連結部材１４の回動抵抗を所定値に設定できる。これにより、ブラケット１２に対して連結部材１４を所定の回動位置で固定させることができ、ブラケット１２に対する連結部材１４の回動角度を調整することができる。
【００５０】
また、ボルト３４は、連結部材１４を貫通して連結部材１４の裏面側に配置されたブラケット１２に螺合されることで、連結部材１４がブラケット１２に取り付けられ、さらに、連結部材１４の表面上にランプ１６が取り付けられている（固定されている）。これにより、ブラケット１２への連結部材１４の取り付け、及び連結部材１４へのランプ１６の取り付けが容易となり、ランプ取付装置１０の組み付け作業性をより一層向上することができる。
【００５１】
次に、本発明の第２実施形態のランプ取付装置について説明する。なお、前述した第１実施形態と同一構成部分については、同一番号を付してその説明を省略する。
【００５２】
図１０に示されるように、ランプ取付装置１００は、連結部材１４の開口部４２に弾性部材の一例としてのゴム部材１０２が挿入されている。取付ネジ２６の軸部２６Ａをナット２８に螺合させてブラケット１２をハンドル２に固定した状態で、ゴム部材１０２は、ブラケット１２から突出する取付ネジ２６の軸部２６Ａの先端部２６Ｂと、連結部材１４の開口部４２の内壁の少なくとも一部に当接している。また、連結部材１４にはランプ１６が取り付けられており、ゴム部材１０２の上面はランプ１６の窪み部１６Ｂに当接している。本実施形態では、ゴム部材１０２は、平面視にて開口部４２の内形とほぼ同じ外形形状とされている。
【００５３】
このようなランプ取付装置１００は、連結部材１４の開口部４２に挿入されたゴム部材１０２が、取付ネジ２６の軸部２６Ａの先端部２６Ｂと、ランプ１６の窪み部１６Ｂ等に当接することで、ブラケット１２に対して連結部材１４及びランプ１６が回動するときに、ゴム部材１０２により摺動抵抗が与えられる。これにより、ブラケット１２に対してランプ１６を所定の回動位置で固定する固定力を上げることができる。
なお、本実施形態では、ゴム部材１０２を用いたが、その他、板バネなどの弾性部材を用いてもよい。
【００５４】
次に、本発明の第３実施形態のランプ取付装置について説明する。なお、前述した第１及び第２実施形態と同一構成部分については、同一番号を付してその説明を省略する。
【００５５】
図１１に示されるように、ランプ取付装置１１０には、連結部材１４に規制部（凹状部）の一例としての長円状の開口部１１２が形成されており、開口部１１２の内壁面に複数の凸部１１４が形成されている。凸部１１４は、開口部１１２の長手方向と直交する壁面の両側に対向するように配置されている。開口部１１２の壁面に対向する一対の凸部１１４は、開口部１１２の長手方向に沿って複数（本実施形態では３つ）配置されている。凸部１１４は、連結部材１４の平面視にて断面が円弧状に突出した湾曲面とされている。複数の凸部１１４は、連結部材１４と一体的に形成されており、本実施形態では樹脂製とされている。複数の凸部１１４は、取付ネジ２６の先端部２６Ｂを乗り越えるときに、弾性的に変形するようになっている。
【００５６】
開口部１１２の内壁には、開口部１１２の壁面に対向する一対の凸部１１４の間に、取付ネジ２６の先端部２６Ｂの位置を固定する係合部の一例としての谷部１１６が設けられている。本実施形態では、谷部１１６は、開口部１１２の長手方向に沿って２つ配置されている。取付ネジ２６の先端部２６Ｂが開口部１１２に挿入された状態で、連結部材１４をブラケット１２（図１参照）に対して回動させると、開口部１１２で対向する一対の凸部１１４が取付ネジ２６の先端部２６Ｂを乗り越えることで、開口部１１２と取付ネジ２６の先端部２６Ｂとが相対的に移動する。そして、取付ネジ２６の先端部２６Ｂが開口部１１２で対向する一対の凸部１１４の間の谷部１１６に位置したときに連結部材１４が停止する。このため、簡易な構成によりブラケット１２に対して連結部材１４を所定の回動位置で固定することができる。
【００５７】
次に、本発明の第４実施形態のランプ取付装置について説明する。なお、前述した第１〜第３実施形態と同一構成部分については、同一番号を付してその説明を省略する。
【００５８】
図１２に示されるように、ランプ取付装置１２０には、連結部材１４に規制部（凹状部）の一例としての長円状の開口部１２２が形成されており、開口部１２２における長手方向の一方の内壁面に係合部の一例としての複数の凹凸部１２４が設けられている。複数の凹凸部１２４は、連結部材１４の平面視にて尖形状に形成されている。
【００５９】
取付ネジ２６の軸部２６Ａの先端部２６Ｂには、被係合部としての環状部１２６が取り付けられており、環状部１２６の外周面には、複数の凹凸部１２４に係合される複数の凹凸部１２６Ａが形成されている。この環状部１２６は、取付ネジ２６の先端部２６Ｂに固定されている。取付ネジ２６の先端部２６Ｂは、開口部１２２に挿入された状態で、環状部１２６の凹凸部１２６Ａが開口部１２２の凹凸部１２４に係合する。
【００６０】
このようなランプ取付装置１２０では、ブラケット１２（図１参照）に対して連結部材１４を回動させると、取付ネジ２６の先端部２６Ｂに取り付けられた環状部１２６の凹凸部１２６Ａが開口部１２２の凹凸部１２４のいずれかに係合する。このため、簡易な構成によりブラケット１２に対して連結部材１４を所定の回動位置で固定することができる。
【００６１】
なお、上記の第４実施形態では、開口部１２２に複数の尖形状の凹凸部１２４を設け、取付ネジ２６の先端部２６Ｂに取り付けられた環状部１２６に複数の尖形状の凹凸部１２６Ａを設けたが、これに限定されず、両者が係合可能な形状であれば他の形状でもよい。
【００６２】
また、上記の第３及び第４実施形態では、開口部１１２、１２２の内部に連結部材の回動時に摺動抵抗を与えるためのゴム部材を配置してもよい。
【００６３】
また、上記の第１〜第４実施形態では、連結部材１４に取付ネジ２６の先端部２６Ｂが挿入される開口部を設けたが、これに限定されず、連結部材に窪み部などの凹状部を設けてもよい。すなわち、本発明の「凹状部」には、窪み部の他、開口部を含んでいる。
また、規制部は、取付ネジ２６の先端部２６Ｂが挿入され、連結部材１４が回動したときに取付ネジ２６の先端部２６Ｂが当たり、連結部材１４の回動範囲を規制できる形状であれば、開口部や窪み部に限定されず、他の形状に変更可能である。
【００６４】
また、上記の第１〜第４実施形態では、連結部材１４の開口部に取付ネジ２６の先端部２６Ｂが挿入される構成であるが、ブラケットに取り付けられる締結具としてのナットが連結部材の開口部（凹状部）に挿入され、連結部材の回動範囲が規制される構成でもよい。
【００６５】
また、上記の第１〜第４実施形態では、ランプ１６（図１参照）は連結部材１４に固定されているが、これに限らず、ランプが連結部材に一体的に設けられる構成でもよい。すなわち、ランプが連結部材に対して、（１）別体で着脱可能、（２）別体でも着脱不可（接着固定など）、（３）一体的に設けられる３種の構成のいずれでもよい。
また、機能部品は、ランプ１６に限らず、リフレクターやスピードメータなど、二輪車本体に対して回動位置の調整が必要な他の機能部品でもよい。
【符号の説明】
【００６６】
１     二輪車
２     ハンドル（二輪車本体）
１０   ランプ取付装置（機能部品取付構造）
１２   ブラケット
１４   連結部材
１６   ランプ（機能部品）
２６   取付ネジ（締結具）
２６Ｂ 先端部（ねじ部）
２８   ナット（締結具）
３４   ボルト（取付用ねじ部）
４２   開口部（凹状部）
１００ ランプ取付装置
１０２ ゴム部材
１１０ ランプ取付装置
１１２ 開口部（凹状部）
１１４ 凸部
１１６ 谷部（係合部）
１２０ ランプ取付装置
１２２ 開口部（凹状部）
１２４ 凹凸部（係合部）
１２６Ａ      凹凸部
【図１】
0005490059.tif 000002
【図２】
0005490059.tif 000003
【図３】
0005490059.tif 000004
【図４】
0005490059.tif 000005
【図５】
0005490059.tif 000006
【図６】
0005490059.tif 000007
【図７】
0005490059.tif 000008
【図８Ａ】
0005490059.tif 000009
【図８Ｂ】
0005490059.tif 000010
【図９】
0005490059.tif 000011
【図１０】
0005490059.tif 000012
【図１１】
0005490059.tif 000013
【図１２】
0005490059.tif 000014